(57)【特許請求の範囲】
【請求項１】
上ケースおよび下ケースからなるケース本体と、
そのケース本体に収納されるストラップと、
そのストラップを巻き取るために前記ケース本体に対して回転自在に設けられたストラップ巻き取りドラムと、
そのストラップ巻き取りドラムの内側に取り付けられ、ストラップ巻き取りドラムの巻き取り方向の付勢を付与する駆動バネと、
前記ストラップの出入り口であるとともに、前記上ケースおよび下ケースの一端が重ね合わさることで形成されたストラップ用開口部と、
前記ストラップの伸縮時において、当該ストラップを固定するための固定機構と、を備え、
前記上ケースは、前記ストラップ用開口部側にストラップの引き出し時における片指のサポートが可能な斜面部材が設けられ、
前記ストラップは、その両端が別々のストラップ用開口部から前記ケース本体内に導入されて前記ストラップ巻き取りドラムに取り付けられ、前記ストラップ巻き取りドラムに巻き取られていることを特徴とする携帯保持具。
【請求項２】
前記斜面部材は、前記ストラップの引き出し時に、親指が斜面部材の表面に添えられ、人差し指の腹がストラップの裏面に添えられて引き出し可能に配置されていることを特徴とする請求項１記載の携帯保持具。
【請求項３】
前記ケース本体に着脱可能な係止部材が設けられたことを特徴とする請求項１または請求項２に記載の携帯保持具。
【請求項４】
前記固定機構は、前記上ケースの表面と略面一に形成されているとともに、前記固定機構の表面中央部分を盛り上げ形状としたことを特徴とする請求項１から請求項３のいずれかに記載の携帯保持具。
【請求項５】
前記固定機構は、前記上ケースの表面から突出して形成されていることを特徴とする請求項１から請求項３のいずれかに記載の携帯保持具。
【請求項６】
上ケースと下ケースとからなり側壁に内外を連通する連通孔を二つ有するケース本体と、
前記ケース本体の二つの連通孔を通るとともに当該ケース本体の二つの連通孔の間の側壁を囲む輪状のストラップと、
前記ケース本体に収納され当該ケース本体に対して回転自在に設けられるとともに前記ストラップが取り付けられ当該ストラップを巻き取るドラムと、
前記ドラムの内側に取り付けられ、ドラムの巻き取り方向の付勢を付与する駆動バネと、
前記上ケースと前記下ケースのいずれか一方のケースの上面から他方のケース側へ前記ケース本体の二つの連通孔の間の側壁よりも外側へ延びる斜面部材と、
を備えたことを特徴とする携帯保持具。
【請求項７】
前記連通孔は、前記ドラムの回転の中心となる軸心方向に長辺を有する矩形形状であり、
前記斜面部材は、前記軸心方向には、前記上ケースと前記下ケースのいずれか一方のケースの上面から前記連通孔の長辺の略中心まで延びていることを特徴とする請求項６記載の携帯保持具。
【請求項８】
前記ストラップは、前記ドラムにより巻き取られている場合には前記斜面部材に沿うことを特徴とする請求項６または請求項７記載の携帯保持具。
【請求項９】
表面が前記一方のケースの表面と略面一又は当該一方のケースの表面から突出して形成された、前記ストラップの伸縮時に当該ストラップを固定するためのボタンをさらに備えたことを特徴とする請求項６から請求項８のいずれかに記載の携帯保持具。
【請求項１０】
前記ケース本体が鏡面加工によって形成されていることを特徴とする請求項１から請求項９のいずれかに記載の携帯保持具。
【請求項１１】
前記ストラップには目盛りが付されていることを特徴とする請求項１から請求項１０のいずれかに記載の携帯保持具。
【発明の詳細な説明】
【技術分野】
【０００１】
本発明は、携帯することができる小型機器を、肩， 首や手首等に掛けるためのストラップを備えた携帯保持具の技術に関し、特に、ストラップのストラップ用開口部の操作性に配慮した技術に関する。
【背景技術】
【０００２】
デジタルカメラや携帯電話などの人が携帯可能な電子機器、社内で使用する社員証やセキュリティカードなどのIDカード等を持ち運ぶ際、これらの一部に帯紐状のストラップを装着して利用者の首から吊り下げることが可能な携帯保持具が知られている。
【０００３】
この携帯保持具に関する技術としては、携帯保持具内部のストラップ巻き取りドラムのバネ付勢力によってストラップを自動的に巻き込むことで、ストラップの長さ調節を可能とした携帯保持具が開示されている（例えば、特許文献１参照）。
【０００４】
【特許文献１】特開平９−２９９１２８号公報
【発明の開示】
【発明が解決しようとする課題】
【０００５】
図7を用いて、特許文献１に記載された携帯保持具の問題点を説明する。
特許文献１に記載された携帯保持具１００においては、ストラップ１０を引き出すときに『ヘタリ』が発生してしまうという問題があった。
これは、利用者がストラップ１０を引き出すためには、二本の指（親指と人差し指など）でストラップ１０を摘み、携帯保持具１００の内部からストラップ１０を引っ張り出す必要がある。この方法で繰り返して使用した場合、指で挟むことによって生じた皺がストラップ１０に残るので、ストラップ自体に『ヘタリ』が生じてしまう。このヘタリがストラップ１０の部分的な強度不足を生じ、そこから切れてしまうなどの問題があった。その結果、携帯保持具１００の寿命となってしまう。
【０００６】
これに対する改善策としては、ストラップの材質を耐久性のある材質に変更することも考えられる。しかし、強度の強い材質に変更してしまうと、ストラップの厚みが大きくなってしまうことになる。その結果、ストラップ巻き取りドラムの形状や携帯保持具本体の形状に、大幅な変更が必要となってしまうこととなる。
【０００７】
したがって、携帯保持具などの外観形状に大幅な変更を行わず、ストラップを頻繁に引っ張り出しても『ヘタリ』が生じにくい携帯保持具の登場が望まれていた。
【０００８】
請求項１から請求項６に記載の目的は、携帯保持具などの外観形状に大幅な変更を行わず、ストラップを頻繁に引っ張り出しても『ヘタリ』が生じにくい携帯保持具を提供することにある。
【課題を解決するための手段】
【０００９】
（請求項１）
請求項１記載の発明は、上ケース(3)および下ケース(2)からなるケース本体(4)と、
そのケース本体(4)に収納されるストラップ(10)と、  そのストラップ(10)を巻き取るために前記ケース本体(4)に対して回転自在に設けられたストラップ巻き取りドラム(20)と、  そのストラップ巻き取りドラム(20)の内側に取り付けられ、ストラップ巻き取りドラム(20)の巻き取り方向の付勢を付与する駆動バネ(30)と、  前記ストラップ(10)の出入り口であるとともに、前記上ケース(3)および下ケース(2)の一端が重ね合わさることで形成されたストラップ用開口部(50)と、  前記ストラップ(10)を出入両方向の機能をなす前記ストラップ(10)の伸縮時において、当該ストラップ(10)を固定するための固定機構(40)と、を備える携帯保持具に係る。
そして、前記上ケース(3)は、前記ストラップ用開口部(50)側にストラップ(10)の引き出し時における片指のサポートが可能な斜面部材(51)が設けられ、  前記ストラップ(10)は、その両端が別々のストラップ用開口部(50)から前記ケース本体(4)内に導入されて前記ストラップ巻き取りドラム(20)に取り付けられ、前記ストラップ巻き取りドラム(20)に巻き取られていることを特徴とする。
【００１０】
（用語説明）
「携帯保持具」とは、デジタルカメラ、携帯電話、社員証などのＩＤカード、セキュリティカードなどを外出時に持ち運ぶためのものである。例えば、首からぶら下げて利用するネックストラップ型、肩に掛けるショルダー型、手首に掛けるハンドストラップ型などがある。
「固定機構」とは、ケース本体に埋設されたものであり、ボタン型の形状をした部材などがある。
【００１１】
（作用）
携帯保持具(1)の使用時は、以下のように操作する。
まず、ケース本体(4)に収納されたストラップ(10)を引き出すために、ストラップ用開口部(50)から出ているストラップ(10)を掴む。  この際、斜面部材(51)に一つの指（例えば親指）を添える。  そして、もう一方の指（例えば、人差し指）をストラップ(10)の裏面(10a)に添って引っ掛け、そのまま引き出し方向にストラップ(10)を引き出す。
すなわち、斜面部材(51)の表面に親指がサポートされるので、ストラップ(10)を掴む指は、人差し指だけですむ。このため、ストラップ(10)を両指で掴んでいたときに比べて、『ヘタリ』が生じにくくなる。これにより、ストラップ(10)の頻繁な引き出し動作に対する耐久性が向上する。
【００１２】
（請求項２）
請求項２記載の発明は、請求項１記載の携帯保持具を限定したものである。
すなわち、前記斜面部材(51)は、前記ストラップ(10)の引き出し時に、親指が斜面部材(51)の表面に添えられ、人差し指の腹がストラップ(10)の裏面(10a)に添えられて引き出し可能に配置されていることを特徴とする。
【００１３】
（作用）
ストラップ(10)を引き出すには、親指を斜面部材(51)に添え、人差し指でストラップ(10)の裏面(10a)を掴んで引っ張り出す。つまり、斜面部材(51)の表面に親指がサポートされるので、ストラップ(10)を掴む指は、人差し指だけですむ。このため、ストラップ(10)を掴む際に生じていた『ヘタリ』が生じにくくなり、ストラップの耐久性が向上する。
なお、本発明においては、親指で斜面部材(51)をサポートし、人差し指でストラップ(10)の裏面(10a)に引っ掛けてストラップ(10)を引き出しているが、これに限定されるものではない。例えば、親指と中指、親指と薬指、親指と小指、人差し指と中指、人差し指と薬指、人差し指と小指、薬指と親指など、指の組み合わせは携帯保持具(1)の利用者に依存することになるからである
【００１４】
（請求項３）
請求項３記載の発明は、請求項１または請求項２に記載の携帯保持具を限定したものである。
すなわち、前記ケース本体(4)に着脱可能な係止部材(5)が設けられたことを特徴とする。
【００１５】
（作用）
係止部材(5)には、携帯電話、デジタルカメラまたはＩＤカードなどを取り付けて使用する。また、着脱自在としているので、磨耗等によって劣化した場合の取替えが容易となる。
【００１６】
（請求項４）
請求項４記載の発明は、請求項１から請求項３のいずれかに記載の携帯保持具を限定したものである。
すなわち、前記固定機構(40)は、前記上ケース(3)の表面と略面一に形成されているとともに、前記固定機構(40)の表面中央部分を盛り上げ形状としたことを特徴とする。
【００１７】
（作用）
上ケース(3)の表面(3a)と固定機構(40)の上面を面一に形成すると、水平方向から見た場合の美観が向上する。特に、全体的なフォルムが丸みを帯びていることで、デザイン的にも統一感がとれる。
また、固定機構(40)の表面は中央部分を盛り上げた形状としている。これは、固定機構(40)は上ケース(3)の表面から突出していると、利用者の誤操作により誤って押されてしまった場合、ストラップ(10)が縮まり、利用者の首を絞めるおそれがあるからである。すなわち、固定機構(40)の「押しやすさ」と「安全性」に配慮した形状としている。
【００１８】
（請求項５）
請求項５記載の発明は、請求項１から請求項３のいずれかに記載の携帯保持具を限定したものである。
すなわち、前記固定機構(40B)は、前記上ケース(3)の表面から突出して形成されていることを特徴とする。
【００１９】
（作用）
ストラップ(10)を収納する際には固定機構(40)を押す必要がある。この際、上ケース(3)の表面(3a)より固定機構(40B)が突出していれば押しやすくなる。このため、ストラップ(10)収納時の操作性が向上する。
なお、固定機構(40B)が突出していることにより、固定機構(40B)が不用意に押されてしまうことに対しては、ストラップ(10)の伸びをストップされるストッパー機能などを搭載すれば良い。
【００２０】
（請求項６）
請求項６記載の発明は、上ケース（３）と下ケース（２）とからなり側壁に内外を連通する連通孔を二つ有するケース本体（４）と、前記ケース本体（４）の二つの連通孔を通るとともに当該ケース本体（４）の二つの連通孔の間の側壁を囲む輪状のストラップ（１０）と、前記ケース本体（４）に収納され当該ケース本体（４）に対して回転自在に設けられるとともに前記ストラップ（１０）が取り付けられ当該ストラップ（１０）を巻き取るドラム（２０）と、前記ドラム（２０）の内側に取り付けられ、ドラム（２０）の巻き取り方向の付勢を付与する駆動バネ（３０）と、前記上ケース（３）と前記下ケース（２）のいずれか一方のケースの上面から他方のケース側へ前記ケース本体（４）の二つの連通孔の間の側壁よりも外側へ延びる斜面部材（５１）と、を備えたことを特徴とする携帯保持具に係る。
（請求項７）
請求項７記載の発明は、請求項６に記載の携帯保持具を限定したものである。
すなわち、連通孔は、ドラム（２０）の回転の中心となる軸心方向に長辺を有する矩形形状であり、斜面部材（５１）は、軸心方向には、上ケース（３）と下ケース（２）のいずれか一方のケースの上面から連通孔の長辺の略中心まで延びていることを特徴とする。
（請求項８）
請求項８記載の発明は、請求項６または請求項７に記載の携帯保持具を限定したものである。
すなわち、ストラップ（１０）は、ドラム（２０）により巻き取られている場合には斜面部材（５１）に沿うことを特徴とする。
（請求項９）
請求項９記載の発明は、請求項６から請求項８のいずれかに記載の携帯保持具を限定したものである。
すなわち、表面が一方のケースの表面と略面一又は一方のケースの表面から突出して形成された、ストラップ（１０）の伸縮時にストラップ（１０）を固定するためのボタン（４０）をさらに備えたことを特徴とする。
（請求項１０）
請求項１０記載の発明は、請求項１から請求項９のいずれかに記載の携帯保持具を限定したものである。
すなわち、前記ケース本体（４）が鏡面加工によって形成されていることを特徴とする。
【００２１】
（作用）
ケース本体（４）は、塗装をせずに鏡面加工されている。このため、美観形成を向上させるとともに、環境保全にも寄与することとなる。
（請求項１１）
請求項１１記載の発明は、請求項１から請求項１０のいずれかに記載の携帯保持具を限定したものである。
すなわち、ストラップ（１０）には目盛りが付されていることを特徴とする。
【発明の効果】
【００２２】
請求項１から請求項１１に記載の発明によれば、携帯保持具などの外観形状に大幅な変更を行うことなく、ストラップを頻繁に引っ張り出しても『ヘタリ』が生じにくい携帯保持具を提供することができた。
【発明を実施するための最良の形態】
【００２３】
以下、図面を参照して本発明に係る実施形態について説明する。ここで使用する図面は、図１から図７である。
図１は、リールストラップ（携帯保持具）１の全体構成を示した斜視図であり、図２（ａ）は、リールストラップのストラップ用開口部の正面図、図２（ｂ）リールストラップの背面図であり、図３（ａ）は、リールストラップの左側面図、図３（ｂ）はリールストラップの右側面図であり、図４は、リールストラップの側面断面図であり、図５は、リールストラップ１のストラップを引っ張り出した際のストラップの状態を示した斜視図であり、図６は、従来のリールストラップにおいて、リールストラップからストラップを引っ張り出した際のストラップの状態を示した斜視図であり、図７は、リールストラップの他の形態を示した平面図および断面図である。
【００２４】
(第一実施形態)
図４に示すように、リールストラップ１は、下ケース２とその下ケース２に嵌合される上ケース３とからなるケース本体４と、そのケース本体４に収納されるストラップ１０と、そのストラップ１０を巻き取るためにケース本体４に対して回転自在に設けられたストラップ巻き取りドラム２０と、そのストラップ巻き取りドラム２０の内側に取り付けられ、ストラップ巻き取りドラム２０の巻き取り方向の付勢を付与する駆動バネ３０と、ストラップ１０の出入り口であるとともに、上ケース３および下ケース２の一端が重ね合わさることで形成されたストラップ用開口部５０と、ストラップ１０の伸縮時において、当該ストラップ１０を固定するためボタン４０（固定機構）と、を備えている。
本実施形態におけるリールストラップ１のサイズは、横幅（ケース本体４）３６．５ｍｍ、長さ（ケース本体４と係止部材５まで）１０４ｍｍとなっている。ただし、本願発明がこの寸法に限られないことは述べるまでもない。
【００２５】
また、上ケース３は、ストラップ用開口部５０側にストラップ１０の引き出し時における片指のサポートが可能な斜面部材５１が設けられ、ストラップ１０は、その両端が別々のストラップ用開口部５０からケース本体４内に導入されてストラップ巻き取りドラム２０に取り付けられ、ストラップ巻き取りドラム２０に巻き取られて構成されている。
また、図１に示すように、下ケース２および上ケース３の背面部には、デジタルカメラ、携帯電話およびＩＤカード等に接続可能な係止部材５が設けられている。
【００２６】
ケース本体４は、上ケース３と下ケース２の二つの部材から構成されており、下ケース２と上ケース３はケース周囲を超音波によって溶着され一体化されている。ケース本体４は、金型キャビ面を鏡面加工しており、塗装をすることなく美観形成を向上させている。
【００２７】
ストラップ巻き取りドラム２０は、上ケース３と下ケース２の中心付近に軸６と同心に形成された段部を軸として、ケース本体４に対して回転自在に設けられている。
係止部材５は、携帯電話、デジタルカメラまたはＩＤカードなどを取り付けて使用する。この係止部材５は着脱自在としているので、重量オーバーや磨耗等によって劣化した場合の取替えが容易となる。なお、係止部材５の形状は一例であり、他の形状とすることもできる。
【００２８】
ストラップ１０の材質は、本実施形態ではポリエステルの織物を用いている。なお、ナイロン、テトロン、ポリエチレン等の合成樹脂など他の材質を用いることも可能である。本実施形態では、長さ１０５０ｍｍ、幅５ｍｍ、厚さ０．４５ｍｍのものを使用している。
ストラップ１０は、輪状に超音波加工されている。このストラップ１０のつなぎ目部分は、ストラップ巻き取りドラム２０の内側に入り組んでいるとともに、ストラップ巻き取りドラム２０に二本重なって巻き付けられている。他端はケース本体４のストラップ用開口部５０からケース本体４内に引き込まれ、ストラップ巻き取りドラム２０に取り付けられている。ストラップ巻き取りドラム２０は、二つの切り欠け部が設けられており、この切り欠け部にストラップ１０が固定される。このような構成は、基本的には、巻き尺と同じである。
【００２９】
ストラップ１０は、ストラップ巻き取りドラム２０に巻き込まれているので、ストラップ１０をストラップ用開口部５０から引き出すと、駆動バネ３０が蓄勢される。
また、ボタン４０を押している間は、ストラップ解除状態となる。すなわち、ボタン４０を押しながらストラップ１０を所望する長さに引き出し、ボタン４０を離すことでストラップ１０を固定する。引き出したストラップ１０は、係止部材５に取り付けられた、携帯電話やＩＤカードに対するネックストラップなどとして使用することができる。
【００３０】
駆動バネ３０は、一端が軸６に形成された溝に取り付けられ、他端はストラップ巻き取りドラム２０の内側に取り付けられている。
なお、本実施形態における駆動バネ３０は、厚さ０．１０ｍｍ×約４ｍｍに設定されている。駆動バネ３０を厚さ０．１０ｍｍ×約４ｍｍに設定することで、それ以下（例えば、３ｍｍ）の駆動バネに比べてストラップ２０の収納パワーが向上し、安定感が増す。
【００３１】
ボタン４０は略直方体に形成され、ボタン４０の底面が上ケース３の上面部３ａの表面とほぼ面一に形成されている。このように、上ケース３の上面部３ａとボタン４０の上面を面一に形成すると、水平方向から見た場合の美観が向上する。特に全体的なフォルムが丸みを帯び、デザイン的にも統一感がとれるので好ましい。
また、ボタン４０は上ケース３の表面から突出していると、利用者の誤操作により誤って押されてしまった場合、ストラップ１０が縮まり、利用者の首を絞めるおそれがある。このため、ボタン４０を上ケース３の表面から突出しない形状としている。
ただし、ボタン４０の「押しやすさ」に観点をおくと押しにくくなってしまう。したがって、ボタン４０の表面は中央部分を盛り上げた形状としている。
このように形成することで、上ケース３の淵とボタン４０の盛り上がった頂点を面一にすることで、不用意に押されず、しかも押しやすくすることができる。
また、ストラップ固定状態でボタン４０を押して解除すると、ストラップ１０は駆動バネ３０の蓄勢力によってストラップ巻き取りドラム２０に自動的に巻き込まれ、ケース内に収納される。
【００３２】
ストラップ用開口部５０は、図２に示すように、下ケース２と上ケース３が嵌合されることによって形成されている。
このストラップ用開口部５０からストラップ１０が伸縮自在に摺動することになる。ストラップ用開口部５０は、上ケース３の上面部３ａからストラップ用開口部５０を形成する方向に向かって斜面状をなす斜面部材５１が形成されている。
【００３３】
斜面部材５１は、ストラップ１０を指で引っ張る際に、片指を斜面部材５１に添えることでストラップ１０のヘタリを生じさせない機能をなす。
【００３４】
（従来との比較）
図５および図６を参照してリールストラップ１の動作について説明する。
まず、従来のリールストラップにおけるストラップ引き出し動作を説明する。図６（ａ）に示すように、リールストラップ１００のストラップ１０を引き出す際には、親指と人差し指との二本の指でストラップ１０を掴む。
【００３５】
そして、図６（ｂ）に示すように、ストラップ１０を掴んだ状態で引き出している。このようにすると、リールストラップを繰り返し使用した場合に、両指で掴む際の磨耗が生じることになり、ストラップ自体に『ヘタリ』が生じてしまうことになる。これにより、ストラップが切れやすくなってしまうなど、ストラップの寿命が早くなってしまう。
【００３６】
これに対し、本発明のリールストラップ１では、図５（ａ）に示すように、まず、ケース本体に収納されたストラップ１０を引き出すために、ストラップ用開口部５０から出ているストラップ１０を掴む。この際、斜面部材５１に親指を添える。そして、図５（ｂ）に示すように、人差し指をストラップ１０の裏面１０ａに添って引っ掛け、そのまま引き出し方向にストラップ１０を引き出す。
【００３７】
つまり、斜面部材５１の表面に親指がサポートされるので、ストラップ１０を掴む指は、人差し指だけですむ。このため、ストラップ１０を両指で掴んでいたときに比べ、『ヘタリ』が生じにくくなる。これにより、ストラップ１０の頻繁な引き出し動作に対する耐久性が向上する。
【００３８】
また、本製品は、ストラップ１０の材質を耐久性のある別の材質に変更しないで対応している。このため、ストラップ１０の厚みやストラップ巻き取りドラム２０の形状が変えずにすむため、リールストラップ１の形状に大幅な変更を必要としないでよい。
なお、図５および図６では、説明の便宜上、主要部（リールストラップ１）を、同じ図中の指に比べて大きくして図示しており、実際のプロポーションとは異なる。
【００３９】
（第二実施形態）
図７に示すのは、リールストラップ１の他の形態である。このリールストラップ１では、ボタン４０の形状が異なりボタン４０Ｂとしている。すなわち、ボタン４０Ｂが上ケース３の上面部３ａの表面から突出して形成されている。ストラップ１０を収納する際にボタンを押す必要があるが、この際、上ケース３の上面部３ａよりボタンが突出していれば押しやすくなる。このため、ストラップ収納時の操作性が向上する。
なお、ボタン４０Ｂが突出していることにより、ボタン４０Ｂが不用意に押されてしまうことに対しては、ストラップ１０の伸びをストップされるストッパー機能などを別途搭載した形態を提供することとすればよい。
【００４０】
なお、本実施形態においては、親指で斜面部材５１をサポートし、人差し指でストラップの裏面１０ａに引っ掛けてストラップを引き出しているが、これに限定されるものではない。例えば、親指と中指、親指と薬指、親指と小指、人差し指と中指、人差し指と薬指、人差し指と小指、薬指と親指など、指の組み合わせはリールストラップ１の利用者に依存することになるからである。
【００４１】
ケース本体（特に上面部３ａ）に印刷を施して、例えば広告媒体として活用することができる。一般の販促商品よりも露出度が高いので、効果が高い。
また、ストラップ１０に等間隔の目盛りを印刷し、メジャーとして使用することもできる。目盛り以外には、例えば社名を印刷して広告としたり、社員としてのアイデンティティとしたりすることもできる。
【産業上の利用可能性】
【００４２】
本発明は、携帯保持具の製造業、販売業、携帯保持具を広告媒体とする広告業などに用いることができる。
【図面の簡単な説明】
【００４３】
【図１】リールストラップの全体構成を示した斜視図である。
【図２】ストラップ用開口部の図であり、（ａ）は正面図、（ｂ）は背面図である。
【図３】リールストラップの図であり、（ａ）は左側面図、（ｂ）は右側面図である。
【図４】リールストラップの側面断面図である。
【図５】リールストラップのストラップを引っ張り出した際のストラップの状態を示した斜視図である。
【図６】従来のリールストラップにおいて、リールストラップからストラップを引っ張り出した際のストラップの状態を示した斜視図である。
【図７】リールストラップの他の形態を示した平面図および断面図である。
【符号の説明】
【００４４】
１，１００  リールストラップ
２  下ケース
３  上ケース                        ３ａ  上面部  
４  ケース本体
５  係止部材
６  軸
１０  ストラップ                  １０ａ  ストラップ裏面
２０  ストラップ巻き取りドラム    ３０  駆動バネ
４０，４０Ｂ  ボタン
５０  ストラップ用開口部          ５１  斜面部材
【図１】
0004610591.tif 000002
【図２】
0004610591.tif 000003
【図３】
0004610591.tif 000004
【図４】
0004610591.tif 000005
【図５】
0004610591.tif 000006
【図６】
0004610591.tif 000007
【図７】
0004610591.tif 000008